(57)【要約】【課題】リードの伸縮操作に連動して動作を行うカメラを提供する。【解決手段】デジタルカメラ１は、外装体１０、撮影レンズ１１、ストロボ１２、リール部２０、フック３０等を備えて構成される。リール部２０は、ゼンマイばねにより付勢され、リード３１を巻き取り可能に構成されている。リール部２０の内部にはフォトインタラプタ２８が配置されており、フォトインタラプタ２８によりリード３１の伸縮操作に伴うリールの回転を検出し、この検出結果に基づいてリード３１の露出長さを算出する。この算出された露出長さに基づいて、撮影モードの切替や再生モードにおける再生画像の選択を行う。【選択図】  図１
2009147444.tif 000002
【特許請求の範囲】
【請求項１】
身に付けるための取付部が一端に設けられた所定の長さのリードと、携帯機器の外装ケースと一体化されたリール部であって、前記リードの他端が取り付けられ、該リードをばねの付勢力によって巻き取る巻取リールを有するリール部と、前記リードの伸縮動作を検出する検出手段と、前記検出手段の検出出力に基づいて前記携帯機器を動作させる制御手段とを備えたリール付き携帯機器において、
前記検出手段は、前記リードの露出部分の長さを検出する長さ検出手段を備え、
前記制御手段は、前記長さ検出手段の検出出力に基づいて前記携帯機器を動作させることを特徴とするリール付き携帯機器。
【請求項２】
画像を記録する記録手段と、
前記記録手段に記録された画像を再生する再生モードを備え、
前記制御手段は、前記再生モードにおいて前記リードの全長と前記記録手段に記録された画像数とを相対的に関連付け、前記長さ検出手段の検出結果に応じた位置の画像を再生することを特徴とする請求項１に記載のリール付き携帯機器。
【請求項３】
第１の操作部を備え、
前記制御手段は、前記第１の操作部の操作時は前記リードの全長と前記記録手段に記録された画像数より少ない数とを相対的に関連付け、前記第１の操作部の操作前に再生されていた画像を基準として前記長さ検出手段の検出結果に応じた位置の画像を再生することを特徴とする請求項２に記載のリール付き携帯機器。
【請求項４】
撮像レンズを介した被写体の光学像を撮像する撮像手段を備え、
前記長さ検出手段が所定値以上の長さを検出すると撮影モードを起動し、所定値未満の長さを検出すると再生モードを起動することを特徴とする請求項１から３のいずれかに記載のリール付き携帯機器。
【請求項５】
前記長さ検出手段の検出結果に応じて撮影モードを切り替えることを特徴とする請求項４に記載のリール付き携帯機器。
【請求項６】
前記長さ検出手段は、前記リール部の回転が所定時間以上停止した場合に前記リードの露出部分の長さを検出することを特徴とする請求項４又は５に記載のリール付き携帯機器。
【請求項７】
第２の操作部を備え、
前記長さ検出手段は、前記第２の操作部が操作されたときのリードの露出部分の長さを検出することを特徴とする請求項４又は５に記載のリール付き携帯機器。
【請求項８】
身に付けるための取付部が一端に設けられた所定の長さのリードと、携帯機器の外装ケースと一体化されたリール部であって、前記リードの他端が取り付けられ、該リードをばねの付勢力によって巻き取る巻取リールを有するリール部と、前記リードの伸縮動作を検出する検出手段と、前記検出手段の検出出力に基づいて前記携帯機器を動作させる制御手段とを備えたリール付き携帯機器において、
前記検出出力から前記リール部の回転速度を検出する速度検出手段を備え、
前記制御手段は、前記速度検出手段の検出出力に基づいて前記携帯機器を動作させることを特徴とするリール付き携帯機器。
【請求項９】
画像を記録する記録手段と、
前記記録手段に記録された画像を再生する再生モードを備え、
前記制御手段は、前記再生モードにおいて前記リール部の回転速度と再生画像の送り速度を関連付け、前記リードの回転速度に応じて再生画像位置を変更することを特徴とする請求項８に記載のリール付き携帯機器。
【請求項１０】
第３の操作部を備え、
前記制御手段は、前記第３の操作部の操作時は前記第３の操作部の非操作時と比べて前記リール部の回転速度に対する再生画像の送り速度を遅く関連付けることを特徴とする請求項９に記載のリール付き携帯機器。
【請求項１１】
画像を記録する記録手段と、
前記記録手段に記録された画像を再生する再生モードと、
前記リール部の回転を検出することにより前記リードの露出部分の長さを検出する長さ検出手段と、を備え、
前記制御手段は、前記再生モードにおいて前記速度検出手段の検出結果及び前記長さ検出手段の検出結果に応じて動作を制御することを特徴とする請求項８に記載のリール付き携帯機器。
【請求項１２】
第４の操作部を備え、
前記制御手段は、前記第４の操作部の非操作時は前記リードの全長と前記記録手段に記録された画像数を相対的に関連付け、前記長さ検出手段の検出結果に応じた位置の画像を再生し、前記第４の操作部の操作時は前記リール部の回転速度と再生画像送り速度を関連付け、前記リードの回転速度に応じて再生画像位置を変更して再生動作を行うことを特徴とする請求項１１に記載のリール付き携帯機器。
【請求項１３】
撮像レンズを介した被写体の光学像を撮像する撮像手段を備え、
前記速度検出手段が所定値以上の速度を検出すると、所定時間後に自動的に本撮像を行うことを特徴とする請求項８から１２のいずれかに記載のリール付き携帯機器。
【請求項１４】
撮像レンズを介した被写体の光学像を撮像する撮像手段を備え、
前記速度検出手段が負の速度検出後に所定値以上の正の速度を検出すると、所定時間後に所定枚数の連写を行うことを特徴とする請求項８から１３のいずれかに記載のリール付き携帯機器。
【請求項１５】
前記リードの全てがリール部に収納されていることを検出する収納検出手段を備え、
前記制御手段は、前記リードの全てがリール部に収納されていることを検出すると前記携帯機器の電源をオフすることを特徴とする請求項１から１４のいずれかに記載のリール付き携帯機器。
【請求項１６】
撮像レンズを介した被写体の光学像を撮像する撮像手段と、
前記リードの全てがリール部に収納されていることを検出する収納検出手段と、を備え、
前記制御手段は、所定時間内の収納状態を検出後に非収納状態を検出すると、所定枚数の連写を行うことを特徴とする請求項１から１５のいずれかに記載のリール付き携帯機器。
【請求項１７】
前記取付部は、フック、クリップ、カラビナ、及びストラップのうちのいずれかであることを特徴とする請求項１から１６のいずれかに記載のリール付き携帯機器。
【発明の詳細な説明】
【技術分野】
【０００１】
本発明はリール付き携帯機器に係り、特にリードの伸縮操作に連動して動作を行うリール付き携帯機器に関する。
【背景技術】
【０００２】
携帯機器において、長尺状の部材をコードリールに巻き取り可能にすることにより、ユーザの利便性の向上を図る技術が知られている。特許文献１には、ストラップを調整自在に巻き取る巻き取りリールと、ストラップを任意の引き出し位置で固定する位置調整機構部により、ユーザの手の大きさや体の大小等に応じてストラップの長さを調節する技術が記載されている。また、特許文献２には、商用交流コンセントに差し込むための電源プラグを備え、電源プラグと電源回路を接続する電源コードをコードリールにより収納できる撮像装置が記載されている。この技術によれば、電源プラグを収納できるため、可搬性を向上させることができる。
【特許文献１】特開２００４−１３００４号公報
【特許文献２】特開２００３−２４４４９９号公報
【発明の開示】
【発明が解決しようとする課題】
【０００３】
しかしながら、これらの技術は、単に撮像装置の付属物である長尺状の部材の長さを調節するための技術であり、撮像装置自体の動作とは関連しないものであった。
【０００４】
本発明はこのような事情に鑑みてなされたもので、コードリールに巻き取り可能な長尺状の部材を操作することにより、動作が制御可能なリール付き携帯機器を提供することを目的とする。
【課題を解決するための手段】
【０００５】
前記目的を達成するために請求項１に記載のリール付き携帯機器は、身に付けるための取付部が一端に設けられた所定の長さのリードと、携帯機器の外装ケースと一体化されたリール部であって、前記リードの他端が取り付けられ、該リードをばねの付勢力によって巻き取る巻取リールを有するリール部と、前記リードの伸縮動作を検出する検出手段と、前記検出手段の検出出力に基づいて前記携帯機器を動作させる制御手段とを備えたリール付き携帯機器において、前記検出手段は、前記リードの露出部分の長さを検出する長さ検出手段を備え、前記制御手段は、前記長さ検出手段の検出出力に基づいて前記携帯機器を動作させることを特徴とする。
【０００６】
これにより、リードの伸縮操作により携帯機器の制御を行うことができる。
【０００７】
請求項２に示すように請求項１に記載のリール付き携帯機器において、画像を記録する記録手段と、前記記録手段に記録された画像を再生する再生モードを備え、前記制御手段は、前記再生モードにおいて前記リードの全長と前記記録手段に記録されたな画像数とを相対的に関連付け、前記長さ検出手段の検出結果に応じた位置の画像を再生することを特徴とする。
【０００８】
これにより、操作ボタンを押さずにリードの伸縮操作により再生画像を選択することができる。
【０００９】
請求項３に示すように請求項２に記載のリール付き携帯機器において、第１の操作部を備え、前記制御手段は、前記第１の操作部の操作時は前記リードの全長と前記記録手段に記録された画像数より少ない数とを相対的に関連付け、前記第１の操作部の操作前に再生されていた画像を基準として前記長さ検出手段の検出結果に応じた位置の画像を再生することを特徴とする。
【００１０】
これにより、リードの伸縮操作による細かいコマ送りも可能となる。
【００１１】
請求項４に示すように請求項１から３のいずれかに記載のリール付き携帯機器において、撮像レンズを介した被写体の光学像を撮像する撮像手段を備え、前記長さ検出手段が所定値以上の長さを検出すると撮影モードを起動し、所定値未満の長さを検出すると再生モードを起動することを特徴とする。
【００１２】
これにより、リードの伸縮操作により起動モードを選択することができる。
【００１３】
請求項５に示すように請求項４に記載のリール付き携帯機器において、前記長さ検出手段の検出結果に応じて撮影モードを切り替えることを特徴とする。
【００１４】
これにより、リードの伸縮操作により撮影モードを選択することができる。
【００１５】
請求項６に示すように請求項４又は５に記載のリール付き携帯機器において、前記長さ検出手段は、前記リール部の回転が所定時間以上停止した場合に前記リードの露出部分の長さを検出することを特徴とする。
【００１６】
これにより、所望の長さを検出させることができる。
【００１７】
請求項７に示すように請求項４又は５に記載のリール付き携帯機器において、第２の操作部を備え、前記長さ検出手段は、前記第２の操作部が操作されたときのリードの露出部分の長さを検出する。
【００１８】
これにより、所望の長さを検出させることができる。
【００１９】
前記目的を達成するために請求項８に記載のリール付き携帯機器は、身に付けるための取付部が一端に設けられた所定の長さのリードと、携帯機器の外装ケースと一体化されたリール部であって、前記リードの他端が取り付けられ、該リードをばねの付勢力によって巻き取る巻取リールを有するリール部と、前記リードの伸縮動作を検出する検出手段と、前記検出手段の検出出力に基づいて前記携帯機器を動作させる制御手段とを備えたリール付き携帯機器において、前記検出出力から前記リール部の回転速度を検出する速度検出手段を備え、前記制御手段は、前記速度検出手段の検出出力に基づいて前記携帯機器を動作させることを特徴とする。
【００２０】
これにより、リードの伸縮操作により携帯機器の制御を行うことができる。
【００２１】
請求項９に示すように請求項８に記載のリール付き携帯機器において、画像を記録する記録手段と、前記記録手段に記録された画像を再生する再生モードを備え、前記制御手段は、前記再生モードにおいて前記リール部の回転速度と再生画像の送り速度を関連付け、前記リードの回転速度に応じて再生画像位置を変更することを特徴とする。
【００２２】
これにより、操作ボタンを押さずにリードの伸縮操作により再生画像を選択することができる。
【００２３】
請求項１０に示すように請求項９に記載のリール付き携帯機器において、第３の操作部を備え、前記制御手段は、前記第３の操作部の操作時は前記第３の操作部の非操作時と比べて前記リール部の回転速度に対する再生画像の送り速度を遅く関連付けることを特徴とする。
【００２４】
これにより、リードの伸縮操作による細かいコマ送りも可能となる。
【００２５】
請求項１１に示すように請求項８に記載のリール付き携帯機器において、画像を記録する記録手段と、前記記録手段に記録された画像を再生する再生モードと、前記リール部の回転を検出することにより前記リードの露出部分の長さを検出する長さ検出手段と、を備え、前記制御手段は、前記再生モードにおいて前記速度検出手段の検出結果及び前記長さ検出手段の検出結果に応じて動作を制御することを特徴とする。
【００２６】
これにより、操作ボタンを押さずにリードの伸縮操作により再生画像を選択することができる。
【００２７】
請求項１２に示すように請求項１１に記載のリール付き携帯機器において、第４の操作部を備え、前記制御手段は、前記第４の操作部の非操作時は前記リードの全長と前記記録手段に記録された画像数を相対的に関連付け、前記長さ検出手段の検出結果に応じた位置の画像を再生し、前記第４の操作部の操作時は前記リール部の回転速度と再生画像送り速度を関連付け、前記リードの回転速度に応じて再生画像位置を変更して再生動作を行うことを特徴とする。
【００２８】
これにより、操作ボタンを押さずにリードの伸縮操作により再生画像を選択することができる。
【００２９】
請求項１３に示すように請求項８から１２のいずれかに記載のリール付き携帯機器において、撮像レンズを介した被写体の光学像を撮像する撮像手段を備え、前記速度検出手段が所定値以上の速度を検出すると、所定時間後に自動的に本撮像を行うことを特徴とする。
【００３０】
これにより、操作ボタンを押さずにユーザの意図により、即時に自動でシャッタを切ることができる。
【００３１】
請求項１４に示すように請求項８から１３のいずれかに記載のリール付き携帯機器において、撮像レンズを介した被写体の光学像を撮像する撮像手段を備え、前記速度検出手段が負の速度検出後に所定値以上の正の速度を検出すると、所定時間後に所定枚数の連写を行うことを特徴とする。
【００３２】
これにより、操作ボタンを押さずにユーザの意図により、自動で連写を行うことができる。
【００３３】
請求項１５に示すように請求項１から１４のいずれかに記載のリール付き携帯機器において、前記リードの全てがリール部に収納されていることを検出する収納検出手段を備え、前記制御手段は、前記リードの全てがリール部に収納されていることを検出すると前記携帯機器の電源をオフすることを特徴とする。
【００３４】
これにより、操作ボタンを押さずにリードを引き出すだけで電源を投入することができる。
【００３５】
請求項１６に示すように請求項１から１５のいずれかに記載のリール付き携帯機器において、撮像レンズを介した被写体の光学像を撮像する撮像手段と、前記リードの全てがリール部に収納されていることを検出する収納検出手段とを備え、前記制御手段は、所定時間内の収納状態を検出後に非収納状態を検出すると、所定枚数の連写を行うことを特徴とする。
【００３６】
これにより、操作ボタンを押さずにユーザの意図により、自動で連写を行うことができる。
【００３７】
請求項１７に示すように請求項１から１６のいずれかに記載のリール付き携帯機器において、前記取付部は、フック、クリップ、カラビナ、及びストラップのうちのいずれかであることを特徴とする。
【００３８】
これにより、簡単にユーザの服飾等に取り付けることができる。
【発明の効果】
【００３９】
本発明によれば、コードリールに巻き取り可能な長尺状の部材を操作することにより、動作が制御可能なリール付き携帯機器を提供することができる。
【発明を実施するための最良の形態】
【００４０】
以下、添付図面に従って本発明を実施するための最良の形態について説明する。
【００４１】
＜第１の実施の形態＞
図１は、本発明が適用されたデジタルカメラ１の第１の実施の形態の正面図である。同図に示すように、本実施の形態のデジタルカメラ１は、外装体１０、撮影レンズ１１、ストロボ１２、リール部２０、フック３０等を備えて構成される。ユーザがフック３０を図面上方向へ引くことにより、リール部２０に収納されていたリード３１が引き出される。
【００４２】
外装体１０は、デジタルカメラ１の各構成部品を収納している筐体である。撮影レンズ１１は、後述するようにズームレンズ１１５、フォーカスレンズ１１６から構成され、被写体光を撮像素子へ結像させる。ストロボ１２は、キセノン管とコンデンサから構成され、必要に応じて撮影補助光を発光する。
【００４３】
フック３０は、Ｕ字形の鉤部と、鉤部の開口を内側から開閉する揺動可能なレバーと、レバーの先端が鉤部の先端部内側に当接する閉鎖方向に向けてレバーを付勢する弾性部材とから構成されている。この鉤部とレバーによって、デジタルカメラ１をユーザの服飾等に取り付けることが可能である。
【００４４】
なお、リード３１の先端と接続されるのはフックに限られるものではなく、クリップやカラビナ、ストラップ等の取付部材でもよい。
【００４５】
図２は、デジタルカメラ１のリール部２０の基本構造を示す図であり、図２（ａ）はリール部２０を構成するリールケース２５の内部の上面図であり、図２（ｂ）はリールケース２５の内部の側面断面図である。図２に示すように、リールケース２５の内部は、ゼンマイばね２１、リール台２２、軸受け部２３、リード巻き付け部２４、及びリード３１から構成されている。リール台２２の中心である軸部２６は、リールケース２５の軸受け部２３に嵌入されており、リール台２２は軸部２６を中心に回転可能に支持されている。また、リールケース２５とリール台２２は、ゼンマイばね２１で接合されている。リール台２２にはリード３１が巻かれており、前述のように、ユーザがフック３０を引いてリード３１が引き出されることにより、リール台２２が右回りに回転し、ゼンマイばね２１がチャージされる。ユーザがリード３１を緩めると、ゼンマイばね２１の付勢力によりリール台２２が左回りに回転し、リード３１がリード巻き付け部２４に巻き取られる。ゼンマイばね２１の付勢力は、フック３０を持ってデジタルカメラ１を吊り下げたときに、デジタルカメラ１の重量ではリード３１が引き出されない程度にあることが望ましい。なお、リード３１は、扱いやすさを考慮して７５ｃｍ程度の長さとなっているが、この長さは適宜決めればよい。
【００４６】
図３は、デジタルカメラ１のリール部２０の断面図である。リール部２０は、図２に示した基本構造の他に、下方に伸びた軸部２６が外装体１０を貫通しており、軸部２６には外装体１０の内部において軸部２６の回転に伴ってフォトインタラプタ２８の発光部と受光部の間のスリットを通過する回転板２７を備えている。図４（ａ）は、回転板２７とフォトインタラプタ２８を上面から見た図である。同図に示すように、回転板２７は切り欠き部を備えている。このように、軸部２６に切り欠き部を有する回転板２７を備え、フォトインタラプタ２８において切り欠き部を検出することで、リール台２２の回転量、即ちリード３１の引き出し長さを検出することが可能である。なお、図４（ｂ）に示すように、２つのフォトインタラプタ２８、２８’を隣接させて設けてもよい。このように構成することで、回転板２７の回転方向を検出することができ、ユーザのリード３１の伸縮操作によるリード３１の引き出し長さを検出することが可能となる。
【００４７】
また、リール台２２の回転を検出するために、永久磁石と磁気センサを用いてもよい。図５は、永久磁石と磁気センサを用いた場合のリール部２０の断面図である。磁石４１はリール台２２の下端に配置され、リール台２２と共に回転する。磁気センサ４２は、反磁性体材料を用いた外装体１０の内部に配置される。磁石４１と磁気センサ４２は、リール台２２の回転に伴いお互いの間の距離が変化するため、磁気センサ４２は、距離の変化による磁石４１の発生する磁力の変化を検出することにより、リール台２２の回転を検出することができる。このように、永久磁石と磁気センサを用いた場合は、外装体１０とリール部２０を独立させることができるため、外装体１０内部への埃や塵の侵入を防止でき、さらに省スペースで実現できる利点がある。さらに、磁気センサを複数配置することにより、リール台２２の回転方向を検出することも可能である。
【００４８】
なお、リール台２２の回転を検出する方法は、フォトインタラプタや磁気センサを用いる方法に限定されるものではなく、例えばフォトリフレクタを用いてもよい。
【００４９】
次に、リード３１の収納状態を検出する機構について説明する。図６は、デジタルカメラ１のリール部２０の断面図である。リール部２０のリード３１の導出部にはスイッチ連動ピン５２が突出しており、リール部２０の内部にはスイッチ連動ピン５２に押されてオンするプッシュスイッチ５１が備えられている。また、フック３０とリード３１の接合部にはスイッチ押圧部３２が備えられている。リード３１が全てリール部２０に収納されると、スイッチ押圧部３２がスイッチ連動ピン５２を押し、さらにスイッチ連動ピン５２がプッシュスイッチ５１を押すことにより、リード３１が全て収納された状態を検出することができる。また、ユーザがフック３０を引くことによりリード３１を引き出すと、スイッチ連動ピン５２が開放されるに伴いプッシュスイッチ５１がオフされ、リード３１が引き出された状態であることを検出することができる。
【００５０】
また、リード３１の収納状態を検出するために、永久磁石と磁気センサを用いてもよい。図７は、永久磁石と磁気センサを用いた場合のリード部２０の断面図である。フック３０とリード３１の接合部に磁石５３が備えられ、また磁気センサ５４はリール部２０の内部に配置される。磁気センサ５４は、リード３１が全て収納された状態における磁石５３の発生する磁力を検出することにより、リード３１の収納状態を検出することができる。また、ユーザがフック３０を引くことによりリード３１を引き出すと、磁気センサ５４は磁石５３が発生する磁力を検出できなくなり、リード３１が引き出された状態であることを検出することができる。
【００５１】
次に、デジタルカメラ１の電気的構成について説明する。図１３は、デジタルカメラ１の電気的構成を示すブロック図である。
【００５２】
同図に示すように、デジタルカメラ１は、ＣＰＵ１１１、操作部１１２、ズームレンズ用モータドライバ１１３、フォーカスレンズ用モータドライバ１１４、ズームレンズ１１５、フォーカスレンズ１１６、ＣＣＤ１２１、アナログ信号処理部１２２、Ａ／Ｄ変換器１２３、画像入力コントローラ１２４、画像信号処理回路１２５、圧縮伸張処理回路１２６、表示回路１２７、ＬＣＤモニタ１２８、バス１２９、ＡＥ検出回路１３０、ＡＦ検出回路１３１、ＲＯＭ１３２、メモリ１３３、メディアコントローラ１３４、記録メディア１３５、リール検出部１４０、ＵＳＢ端子１３、マイク１４等を備えて構成される。
【００５３】
各部はＣＰＵ１１１に制御されて動作し、ＣＰＵ１１１は、操作部１１２からの入力に基づき所定の制御プログラムを実行することにより、デジタルカメラ１の各部を制御する。
【００５４】
ＲＯＭ１３２にはＣＰＵ１１１が実行する制御プログラムのほか、制御に必要な各種データ等が記録されている。ＣＰＵ１１１は、ＲＯＭ１３２に記録された制御プログラムをメモリ１３３に読み出し、逐次実行することにより、デジタルカメラ１の各部を制御する。
【００５５】
なお、このメモリ１３３は、プログラムの実行処理領域として利用されるほか、画像データ等の一時記憶領域、各種作業領域として利用される。
【００５６】
操作部１１２は、レリーズボタンの他、電源スイッチや撮影モードダイヤル等のカメラの一般的な操作手段を含み、操作に応じた信号をＣＰＵ１１１に出力する。図示しないレリーズボタンは、半押し時にＯＮしてフォーカスロック、測光等の撮影準備を行わせるスイッチＳ１と、全押し時にＯＮして画像の取り込みを行わせるスイッチＳ２とを有している。
【００５７】
ズームレンズ１１５は、ズームレンズ用モータドライバ１１３に駆動されて、フォーカスレンズ１１６の光軸上を前後移動する。ＣＰＵ１１１は、ズームレンズ用モータドライバ１１３を介してズームレンズ１１５の移動を制御し、ズーミングを行う。
【００５８】
フォーカスレンズ１１６は、フォーカスレンズ用モータドライバ１１４に駆動されて、ズームレンズ１１５の光軸上を前後移動する。ＣＰＵ１１１は、フォーカスレンズ用モータドライバ１１４を介してフォーカスレンズ１１６の移動を制御し、フォーカシングを行う。
【００５９】
ＣＣＤ１２１は、フォーカスレンズ１１６を介した被写体光を受光する。ＣＣＤ１２１は画面の１画素に対して１つの素子が対応しており、その受光面には多数の受光素子が二次元的に配列されており、各受光素子に対応して赤（Ｒ）、緑（Ｇ）、青（Ｂ）の原色カラーフィルタが所定の配列構造で配置されている。このように、フォーカスレンズ１１６を介した被写体光は、ＣＣＤ１２１の受光面上に結像され、受光素子によって電気信号に変換される。なお、ＣＣＤ１２１は、ＣＣＤに代えてＭＯＳ型など他の方式の撮像素子を用いてもよい。
【００６０】
また、画像信号の出力は、デジタルカメラ１が撮影モードにセットされると開始される。すなわち、デジタルカメラ１が撮影モードにセットされると、ＬＣＤモニタ１２８にスルー画像を表示するため、画像信号の出力が開始される。このスルー画像用の画像信号の出力は、本撮影の指示が行われると、一旦停止され、本撮影が終了すると、再度開始される。
【００６１】
ＣＣＤ１２１から出力される画像信号は、アナログ信号であり、このアナログの画像信号は、アナログ信号処理部１２２に取り込まれる。アナログ信号処理部１２２は、相関二重サンプリング回路（ＣＤＳ）、及び自動ゲインコントロール回路（ＡＧＣ）を含んで構成される。ＣＤＳは、画像信号に含まれるノイズの除去を行い、ＡＧＣは、ノイズ除去された画像信号を所定のゲインで増幅する。このアナログ信号処理部１２２で所要の信号処理が施されたアナログの画像信号は、Ａ／Ｄ変換器１２３に取り込まれる。
【００６２】
Ａ／Ｄ変換器１２３は、取り込んだアナログの画像信号を所定ビットの階調幅を持ったデジタルの画像信号に変換する。この画像信号は、いわゆるＲＡＷデータであり、画素ごとＲ、Ｇ、Ｂの濃度を示す階調値を有している。
【００６３】
画像入力コントローラ１２４は、所定容量のラインバッファを内蔵しており、Ａ／Ｄ変換器１２３から出力された１コマ分の画像信号を蓄積する。この画像入力コントローラ１２４に蓄積された１コマ分の画像信号は、バス１２９を介してメモリ１３３に格納される。
【００６４】
バス１２９には、上記ＣＰＵ１１１、メモリ１３３、画像入力コントローラ１２４のほか、デジタル信号処理回路１２５、圧縮伸張処理回路１２６、表示回路１２７、メディアコントローラ１３４、ＡＥ検出回路１３０、ＡＦ検出回路１３１等が接続されており、これらはバス１２９を介して互いに情報を送受信できるようにされている。
【００６５】
ＡＥ検出回路１３０は、ＣＰＵ１１１の指令に従い、画像入力コントローラ１２４を介してメモリ１３３に格納されたＲ、Ｇ、Ｂの画像信号を取り込み、ＡＥ制御に必要な積算値を算出する。ＣＰＵ１１１は、積算値から輝度値を算出し、輝度値から露出値を求める。また露出値から所定のプログラム線図に従って、絞り値及びシャッタスピードを決定する。このとき、必要であれば、撮影補助光としてストロボ１２を用いる決定をする。
【００６６】
ＡＦ検出回路１３１は、ＣＰＵ１１１の指令に従い、画像入力コントローラ１２４を介してメモリ１３３に格納されたＲ、Ｇ、Ｂの画像信号を取り込み、ＡＦ（Automatic Focus）制御に必要な焦点評価値を算出する。このＡＦ検出回路１３３は、Ｇ信号の高周波成分のみを通過させるハイパスフィルタ、絶対値化処理部、画面に設定された所定のフォーカス領域内の信号を切り出すフォーカス領域抽出部、及び、フォーカス領域内の絶対値データを積算する積算部を含み、この積算部で積算されたフォーカス領域内の絶対値データを焦点評価値としてＣＰＵ１１１に出力する。ＣＰＵ１１１は、ＡＦ制御時、このＡＦ検出回路１３３から出力される焦点評価値が極大となる位置をサーチし、その位置にフォーカスレンズ１１を移動させることにより、主要被写体への焦点合わせを行う。
【００６７】
デジタル信号処理回路１２５は、点順次に取り込んだＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。
【００６８】
圧縮伸張処理回路１２６は、ＣＰＵ１１１からの圧縮指令に従い、入力された輝度信号Ｙと色差信号Ｃｒ、Ｃｂとからなる画像信号（Ｙ／Ｃ信号）に所定形式（たとえば、ＪＰＥＧ）の圧縮処理を施し、圧縮画像データを生成する。また、ＣＰＵ１１からの伸張指令に従い、入力された圧縮画像データに所定形式の伸張処理を施して、非圧縮の画像データを生成する。
【００６９】
表示回路１２７は、ＣＰＵ１１１からの指令に従い、ＬＣＤモニタ１２８への表示を制御する。
【００７０】
メディアコントローラ１３４は、ＣＰＵ１１１からの指令に従い、記録メディア１３５に対してデータの読み／書きを制御する。なお、記録メディア１３５は、メモリカードのようにカメラ本体に対して着脱自在なものでもよいし、また、カメラ本体に内蔵されたものでもよい。着脱自在とする場合は、カメラ本体にカードスロットを設け、このカードスロットに装填して使用する。
【００７１】
リール検出部１４０は、前述のフォトインタラプタ２８、プッシュスイッチ５１から構成され、これらの出力信号はＣＰＵ１１１に入力される。
【００７２】
マイク１４は動画撮影時に音声を集音し、アンプ１４２はマイク１４の出力信号を増幅し、ＣＰＵ１１１に入力する。
【００７３】
ＵＳＢ端子１３は、外部装置と接続するための端子であり、ＵＳＢインターフェース１４１を介して、デジタルカメラ１と接続された外部装置との通信が可能である。
【００７４】
次に、以上のように構成されたデジタルカメラ１における、ユーザによるリード３１の伸縮操作に伴うカメラ動作について説明する。
【００７５】
リード３１の収納状態では、デジタルカメラ１の電源はオフされている。収納状態からリード３１を引き出すと、プッシュスイッチ５１がこれを検出し、ＣＰＵ１１１はプッシュスイッチ５１からの信号を受けてデジタルカメラ１の電源をオンする。また、リード３１の引き出し時にフォトインタラプタ２８において回転板２７の切り欠き部を検出した回数とリール台２２の円周から、ＣＰＵ１１１はリード３１の引き出された長さを算出する。算出したリード３１の引き出し長さが所定の長さ（例えば５０ｃｍ）より長い場合は撮影モードで起動し、短い場合は再生モードで起動する。モードの確定は、外装体１０に配置された図示しない決定ボタンをユーザが押してもよいし、リード３１の引き出し後、所定時間（例えば２秒間）リール台２２が停止したことを検出して確定してもよい。また、この所定の長さや所定時間をユーザが自由に設定できてもよい。
【００７６】
撮影モードが起動した場合は、さらに、ユーザはリード３１の引き出し長さによって撮影モードを切り替えることが可能である。例えば、引き出し長さが０〜２０ｃｍのときはフルオート撮影モード、２１〜４０ｃｍのときはストロボ発光禁止モード、４１〜６０ｃｍのときはマクロモード、６１〜７５ｃｍ（最大引き伸ばし長さ）は連写モード、のように撮影モードが割り振られている。ＣＰＵ１１１は、フォトインタラプタ２８の出力信号とリール台２２の円周から、リード３１の引き出し長さを算出する。ユーザは、リード３１を伸縮操作して所望のモードの長さに設定し、所定時間（例えば２秒）伸縮操作を停止すると、長さに応じた撮影モードが決定される。リード３１が引き出された長さをユーザにわかりやすくするように、リード３１に目盛りを振ってもよいし、所定の長さごとに色を変えてもよい。
【００７７】
なお、リール台２２の回転量ではなく、リール台２２の回転速度に応じて撮影モードを切替えてもよい。この場合は、ＣＰＵ１１１は、フォトインタラプタ２８において回転板２７の切り欠き部を検出した周期から、リール台２２の回転速度を算出する。算出した回転速度に応じて、リード３１を早く引き出した場合はフルオート撮影モード、ゆっくり引き出した場合はマクロ撮影モード等のように撮影モードを切り替える。
【００７８】
また、リード３１を最大に引き出した状態で撮影モードに設定してもよい。このように構成した場合は、リードの引っ張り方向に安定して手振れ抑制効果がある。
【００７９】
電源オン時に再生モードが起動した場合は、さらに、ユーザはリード３１を伸縮操作することによって再生画像を選択することができる。再生モードにおけるリード３１の使用方法には、複数種類考えられるが、これらのうちのいずれかを選択すればよい。また、ユーザがいずれかを自由に選択できてもよい。
【００８０】
（方法１）
リード３１の全長と再生枚数を相対的に関連付け、リード３１の引き出し長さに応じて再生コマを変更する。例えば、リード３１の収納状態において１コマ目、リード３１を全て引き出した状態において最終コマ、リード３１を半分引き出した状態において再生可能枚数の中心のコマが再生される。
【００８１】
さらに、あるコマを再生中に外装体１０に配置された図示しない再生ボタンを押しながらリード３１を伸縮操作すると、１コマ送り／戻しになる。
【００８２】
（方法２）
リード３１の全長と再生枚数を相対的に関連付け、リード３１の引き出し長さに応じて再生コマを変更する。例えば、リード３１の収納状態において１コマ目、リード３１を全て引き出した状態において最終コマ、リード３１を半分引き出した状態において再生可能枚数の中心のコマが再生される。
【００８３】
さらに、あるコマを再生中に外装体１０に配置された図示しない再生ボタンを押しながらリード３１を伸縮操作すると、そのコマ位置からのリード３１の伸縮操作量によってコマ送り速度が変化する。例えば、多く引くと早送り、少なく引くと遅送り、多く戻すと早戻し、少なく戻すと遅戻し等のように動作する。
【００８４】
（方法３）
リード３１の全長と再生枚数を相対的に関連付け、リード３１の引き出し長さに応じて再生コマを変更する。例えば、リード３１の収納状態において１コマ目、リード３１を全て引き出した状態において最終コマ、リード３１を半分引き出した状態において再生可能枚数の中心のコマが再生される。
【００８５】
さらに、あるコマを再生中に外装体１０に配置された図示しない再生ボタンを押しながらリード３１を伸縮操作すると、リード３１の伸縮速度（リール台２２の回転速度）に対応して送り速度が変化する。例えば、速く引くと早送り、遅く引くと遅送り、速く戻すと早戻し、遅く戻すと遅戻し等のように動作する。
【００８６】
（方法４）
リード３１の伸縮速度とコマ送り速度を関連付け、リード３１の伸縮速度に応じて再生コマを変更する。例えば、速く引くと早送り、遅く引くと遅送り、速く戻すと早戻し、遅く戻すと遅戻し等のように動作する。
【００８７】
（方法５）
リード３１の伸縮速度とコマ送り速度を関連付け、リード３１の伸縮速度に応じて再生コマを変更する。例えば、速く引くと早送り、遅く引くと遅送り、速く戻すと早戻し、遅く戻すと遅戻し等のように動作する。
【００８８】
さらに、あるコマを再生中に外装体１０に配置された図示しない再生ボタンを押しながらリード３１を伸縮操作すると、リード３１の伸縮速度に対応する送り速度が遅く（例えば１／５に）なる。
【００８９】
方法１〜方法５のように構成することにより、再生枚数が多い場合であっても、簡単に所望のコマを再生することができる。
【００９０】
なお、リード３１の伸縮操作を、他のモード設定に使用することも可能である。
【００９１】
例えば、リード３１の収納状態から、リード３１を所定の速度以上で引き出した場合は、ユーザが急いで撮影をしようとしていると判断し、リード３１の引き出し開始から所定時間（例えば０．３秒）後に自動的に本撮影を行う。この撮影を行うまでの時間は、カメラの起動時間等から適宜決めればよい。また、リード３１の引き出しが停止してからの時間をカウントし、所定時間経過後に本撮影を行ってもよい。このように、リード３１の伸縮操作を検出して自動的に撮影を行うことで、急いで撮影することが必要になったような場合であっても、シャッタチャンスを逃さずに本撮影を行うことができる。
【００９２】
また、リード３１の収納状態から、リード３１を引き伸ばし、所定時間（例えば１秒）以内に再び収納状態に戻された後に再びリード３１が引き伸ばされた場合は、所定時間（例えば０．３秒）以内に複数枚（例えば３枚）の連写を行ってもよい。このように、収納状態の変化を検出して連写機能に割り当てることで、操作ボタンを押さずにユーザの意図により自動で連写撮影を行うことができる。
【００９３】
また、リード３１を引き伸ばし、所定時間（例えば０．２秒）以内に縮め、さらにリード３１が所定速度以上で引き伸ばされた場合は、２度目のリード引き伸ばし操作から所定時間（例えば０．３秒）後に複数枚（例えば３枚）の連写を行ってもよい。このように、伸縮操作を検出して連写機能に割り当てることで、操作ボタンを押さずにユーザの意図により自動で連写撮影を行うことができる。
【００９４】
なお、本実施の形態においては、リール部２０は外装体１０から突出しているが、リール部２０を外装体１０に内蔵してもよい。
【００９５】
また、本実施の形態のリード３１の伸縮操作においては、ユーザがフック３０を引くことにより、リール部２０に収納されていたリード３１を引き出しているが、フック３０をユーザの服飾等に取り付け、デジタルカメラ１の本体を引くことによりリード３１を引き出してもよい。フックと３０とデジタルカメラ１の外装体１０との位置関係は相対的なものであり、どちらを引いてもリード３１が引き出され、リール台２２が回転する。したがって、どちらを引いてもリール台２２の回転を検出することにより、リード３１の伸縮操作を検出することに変わりはない。
【００９６】
＜第２の実施の形態＞
図８は、本発明が適用されたデジタルカメラ１の第２の実施の形態の正面図である。同図に示すように、本実施の形態のデジタルカメラ１は、第１の実施の形態と同様に、外装体１０、撮影レンズ１１、ストロボ１２、リール部２０、フック３０、リード３１等を備えて構成されるが、リール部２０がフック３０側に備えられており、ユーザがフック３０を図面上方向へ引いてリール部２０に収納されていたリード３１が引き出されたときに、フック３０と共にリール部２０が移動するところが異なっている。なお、フック３０のリール部２０の内部構造は、図２に示す第１の実施の形態と同様となっている。
【００９７】
次に、リード３１の収納状態の検出機構について説明する。図９は、デジタルカメラ１のリール部２０及び外装体１０のリード３１接続部の断面図である。外装体１０のリード３１との接続部にはスイッチ連動ピン５２が突出しており、外装体１０の内部にはスイッチ連動ピン５２に押されてオンするプッシュスイッチ５１が備えられている。また、リール部２０のリード３１の導出部にはスイッチ押圧部３３が備えられている。リード３１が全てリール部２０に収納されると、スイッチ押圧部３２がスイッチ連動ピン５２を押し、さらにスイッチ連動ピン５２がプッシュスイッチ５１を押すことにより、リード３１が全て収納された状態を検出することができる。また、ユーザがフック３０を引いてリード３１を引き出すと、スイッチ連動ピン５２が開放されるに伴いプッシュスイッチ５１がオフされ、リード３１が引き出された状態であることを検出することができる。
【００９８】
また、リード３１の収納状態を検出するために、永久磁石と磁気センサを用いてもよい。図１０は、磁石と磁気センサを用いた場合のリール部２０及び外装体１０のリード３１接続部の断面図である。磁石５３はリール部２０のリード３１の導出部に配置され、リード３１が全て収納された状態で、磁石５３と外装体１０が当接するように構成されている。磁気センサ５４は反磁性体材料で構成される外装体１０の内部に配置され、磁石５３と外装体１０が当接した状態の磁力を検出することにより、リード３１が全て収納された状態を検出することができる。また、ユーザがフック３０を引いてリード３１を引き出すと、磁石５３が外装体１０から離れたことを磁気センサ５４が検出することにより、リード３１が伸ばされた状態であることを検出することができる。
【００９９】
本実施の形態のデジタルカメラ１の電気的構成は、図１３に示す第１の実施の形態のブロック図と同様である。リール検出部１４０は、プッシュスイッチ５１又は磁気センサ５４から構成される。
【０１００】
リール検出部１４０がリード３１の収納状態を検出すると、ＣＰＵ１１１はこの信号を受けてデジタルカメラ１の電源をオフさせる。また、リール検出部１４０がリード３１の引き出し状態を検出すると、ＣＰＵ１１１はこの信号を受けてデジタルカメラ１の電源をオンさせる。
【０１０１】
本実施の形態においても、第１の実施の形態と同様に、リール台２２の回転を検出してリード３１の引き出し長さを検出し、カメラ動作と連動させてもよい。この場合は、リール台２２の回転を検出するために、図４に示すフォトインタラプタや図５に示す磁気センサをリール部２０に備える必要があるため、これらのセンサへ電源を供給するための電源供給線や、検出結果をＣＰＵ１１１に伝達するための信号線をリード３１の内部に備える必要がある。なお、リール部２０にボタン電池等を備え、このボタン電池によりリール部２０内に電源を供給することにより、リード３１内の電源供給線を省略することが可能である。
【０１０２】
＜第３の実施の形態＞
第３の実施の形態は、リード３１の巻上げ機構にワンウェイクラッチを備えたところが異なっている。
【０１０３】
図１１は、本実施の形態におけるワンウェイクラッチの構成を示す図であり、図１１（ａ）は上面図であり、図１１（ｂ）は側面断面図である。図１１に示すように、ワンウェイクラッチは、突起部６１、ストッパ６２、ガイド６３、及びストッパ解除ボタン６４から構成される。
【０１０４】
リール台２２には内側に４箇所の突起部６１が設けられており、突起部６１の一方の面はリール台２２の内周に対して直角に形成され、もう一方の面は斜め上向きに傾斜する傾斜面を形成している。
【０１０５】
ストッパ６２及びストッパ解除ボタン６４は樹脂一体で形成されており、ストッパ解除ボタン６４を押すことにより、ストッパ６２はガイド６３に沿って移動する。また、ストッパ解除ボタン６４を開放するに伴い、ストッパ６２は弾性で元に戻るように構成されている。
【０１０６】
図示しないゼンマイばね２１の付勢によりリール台２２が左回りに回転しようとすると、突起部６１の直角に形成された面とストッパ６２が係合してリール台２２を停止させる。この状態でストッパ解除ボタン６４を押すと、ガイド６３に沿ってストッパ６２が移動し、ストッパ６２と突起部６１の直角面との係合が無くなり、リール台２２は図示しないゼンマイばね２１の付勢により左回りに回転する。また、ユーザがフック３０を引くことによりリール台２２が右回りに回転する場合は、ストッパ６２は突起部６１の傾斜面を乗り越えることが可能なように構成されている。
【０１０７】
以上のようにワンウェイクラッチを構成することにより、リード３１の巻き取り張力がなくなるため、撮影時に余計な力が不要となり、手が疲れる等の弊害を無くすことができる。
【０１０８】
＜第４の実施の形態＞
第４の実施の形態は、リード３１の巻上げ機構に速度感知式ワンウェイクラッチを設けたところが異なっている。
【０１０９】
図１２は、本実施の形態における速度感知式ワンウェイクラッチの構成を示す図であり、図１２（ａ）は停止状態を、図１２（ｂ）はリード引張り状態を、図１２（ｃ）はリード速戻し状態を、図１２（ｄ）はリード遅戻し状態を示している。図１２に示すように、速度感知式ワンウェイクラッチは、突起部７１、ストッパ７２、ピニオン７３、及びばね７４から構成される。
【０１１０】
突起部７１は、リール台２２の内側に複数形成され、ピニオン７３は、リール台２２に形成された図示しない内歯車と嵌合しており、リール台２２の回転方向と同じ方向に回転する。ストッパ７２は、ピニオン７３と回転粘性抵抗を介して繋がれており、ピニオン７３の回転方向に粘性を伴って回動可能に構成されている。ばね７４は、ストッパ７２に対して突起部７１とストッパ７２の係合が外れる方向に付勢している。
【０１１１】
図１２（ａ）に示す停止状態では、図示しないゼンマイばね２１により左回りに付勢されているリール台２２は、突起部７１とストッパ７２の係合により停止している。ばね７４の付勢力は、ゼンマイばね２１の付勢力より小さく構成されている。
【０１１２】
図１２（ｂ）に示すリード引張り状態は、ユーザがフック３０を引いてリード３１を引き出し、リール台２２が右回りに回転している状態である。リール台２２が右回りに回転する場合は、ピニオン７３も右回りに回転し、これに伴いストッパ７２も右回りに回動する。したがって、突起部７１とストッパ７２の係合がなくなり、リール台２２は右回りに回転可能となる。このように、リード３１の引き出しは、フック３０を引いてリード３１を引っ張るだけで可能である。
【０１１３】
図１２（ｃ）に示すリード速戻し状態は、ユーザがフック３０を開放したために、図示しないゼンマイばね２１の付勢によりリール台２２が高速に左回りに回転した状態である。リール台２２が高速に左回りに回転すると、これに伴いピニオン７３も高速に左回りに回転し、ピニオン７３からストッパ７２への伝達が大きくなる。したがって、ストッパ７２はばね７４の付勢に逆らって左回りに回動する。このため、ストッパ７２と突起部７１が係合し、リール台２２は回転を停止する。
【０１１４】
図１２（ｄ）に示すリード遅戻し状態は、ユーザが、フック３０にテンションをかけながら低速にリード３１を収納している状態である。リール台２２が低速に左回りに回転した場合は、ピニオン７３も低速に左回りに回転するため、ピニオン７３からストッパ７２への伝達が小さくなる。このため、ストッパ７２の左回りの回動よりもばね７４の付勢力が勝り、ストッパ７２は突起部７１と係合しない。したがって、リール台２２は左回りに回転可能となる。このように、リール台２２が低速に回転する場合には、リード３１を全て収納することが可能となる。
【０１１５】
以上のように速度感知式ワンウェイクラッチを構成することにより、リード３１の巻き取り張力がなくなるため、撮影時に余計な力が不要となり、手が疲れる等の弊害を無くすことができる。また、ストッパの解除ボタンが不要となる利点もある。
【０１１６】
＜第５の実施の形態＞
第５の実施の形態のデジタルカメラ１は、これまでと同様に、リード３１の伸縮操作によりカメラ動作が制御可能に構成されているが、取付部にＵＳＢ端子を備え、リード３１にＵＳＢケーブルを用いている。図１４に、本実施の形態のデジタルカメラ１のクリップ３５を示す。
【０１１７】
同図に示すように、クリップ３５は、板ばね８１、スライドスイッチ８２、及びＵＳＢ端子８３を備えている。板ばね８１は、クリップ３５と板ばね８１との間にユーザの服飾等を保持する。スライドスイッチ８２はＵＳＢ端子８３と連動しており、スライドスイッチ８２をスライド移動させると、クリップ３５に収納されているＵＳＢ端子８３が露出するように構成されている。ＵＳＢ端子８３はオス型のＵＳＢ端子であり、リード３１はＵＳＢケーブルで構成されている。
【０１１８】
ＵＳＢケーブルで構成されたリード３１は、外装体１０の内部のＵＳＢインターフェース１４１と接続されている。したがって、ＵＳＢ端子８３を外部装置のメス型ＵＳＢ端子に装着することにより、外部装置とデジタルカメラ１とのＵＳＢによる通信が可能となる。
【０１１９】
このように構成することにより、例えば、外出先でデジタルカメラ１とパーソナルコンピュータをＵＳＢ接続し、デジタルカメラ１で撮影した画像をパーソナルコンピュータに転送することができる。
【０１２０】
＜第５の実施の形態の変形例１＞
図１５に、フック３０に撮影レンズ１１’を備えた例を示す。フック３０内部には、図示しないＣＣＤ１２１、アナログ信号処理回路１２２、及びＡ／Ｄコンバータ１２３が備えられている。また、リード３１は、これらの回路に電源を供給するための電源供給線や、Ａ／Ｄ変換器１２３の出力信号を外装体１０の内部に備えられた画像入力コントローラ１２４へ伝達する信号線を備えている。
【０１２１】
このように構成することにより、デジタルカメラ１本体に配置された図示しないモニタ１２８と撮影レンズ１１’を分離できるため、様々なアングルの撮影が可能となる。
【０１２２】
また、フック３０に、撮影レンズ１１’と共にシャッタレリーズボタンを備えてもよい。このように構成することで、アングルを決めた状態でそのままシャッタレリーズボタンを押すことができる。
【０１２３】
＜第５の実施の形態の変形例２＞
図１６に、フック３０にマイク１４を備えた例を示す。フック３０内部には、図示しないアンプ１４２が備えられている。また、リード３１は、電源ライン及びアンプ１４２の出力信号を外装体１０の内部に備えられたＣＰＵ１１１へ伝達する信号線を備えている。
【０１２４】
このように構成することで、マイク１４とデジタルカメラ１を分離でき、マイク１４を被写体に近づけられるため、小さな音も録音可能となる。
【０１２５】
＜第５の実施の形態の変形例３＞
図１７に、フック３０に操作部１１２’を備えた例を示す。リード３１は、操作部１１２’の出力信号を外装体１０の内部に備えられたＣＰＵ１１１へ伝達する信号線を備えている。
【０１２６】
このように構成することで、デジタルカメラ１と離れた状態でも、手元で遠隔操作が可能となる。
【図面の簡単な説明】
【０１２７】
【図１】図１は、本発明が適用されたデジタルカメラ１の第１の実施の形態の正面図である。
【図２】図２は、デジタルカメラ１のリール部２０の基本構造を示す図である。
【図３】図３は、デジタルカメラ１のリール部２０付近の断面図である。
【図４】図４は、回転板２７とフォトインタラプタ２８を上面から見た図である。
【図５】図５は、磁石４１と磁気センサ４２によってリール台２２の回転を検出する機構を示した図である。
【図６】図６は、デジタルカメラ１のリール部２０付近の断面の概略図である。
【図７】図７は、磁石５３と磁気センサ５４によってリール３１の収納状態を検出する機構を示した図である。
【図８】図８は、本発明が適用されたデジタルカメラ１の第２の実施の形態の正面図である。
【図９】図９は、デジタルカメラ１のリール部２０及び外装体１０のリード３１接続部の断面の概略図である。
【図１０】図１０は、磁石５３と磁気センサ５４によってリール３１の収納状態を検出する機構を示した図である。
【図１１】図１１は、本実施の形態におけるワンウェイクラッチの構成を示す図である。
【図１２】図１２は、本実施の形態における速度感知式ワンウェイクラッチの構成を示す図である。
【図１３】図１３は、デジタルカメラ１の電気的構成を示すブロック図である。
【図１４】図１４は、第５の実施の形態のデジタルカメラ１を示す図である。
【図１５】図１５は、フック３０に撮影レンズ１１’を備えた例を示す図である。
【図１６】図１６は、フック３０にマイク１４を備えた例を示す図である。
【図１７】図１７は、フック３０に操作部１１２’を備えた例を示す図である。
【符号の説明】
【０１２８】
１…デジタルカメラ、１０…外装体、１１…撮影レンズ、１３…ＵＳＢ端子、１４…マイク、２０…リール部、２１…ゼンマイばね、２２…リール台、２３…軸受け部、２４…リード巻き付け部、２５…リールケース、２６…軸部、２７…回転板、２８…フォトインタラプタ、３０…フック、３１…リード、３２…当接部、４１、５３…磁石、４２、５４…磁気センサ、５１…プッシュスイッチ、５２…スイッチ連動ピン、６１、７１…突起部、６２、７２…ストッパ、６３…ガイド、６４…ストッパ解除ボタン、７３…ピニオン、７４…ばね、１１１…ＣＰＵ、１４０…リール検出部
【図１】
2009147444.tif 000003
【図２】
2009147444.tif 000004
【図３】
2009147444.tif 000005
【図４】
2009147444.tif 000006
【図５】
2009147444.tif 000007
【図６】
2009147444.tif 000008
【図７】
2009147444.tif 000009
【図８】
2009147444.tif 000010
【図９】
2009147444.tif 000011
【図１０】
2009147444.tif 000012
【図１１】
2009147444.tif 000013
【図１２】
2009147444.tif 000014
【図１３】
2009147444.tif 000015
【図１４】
2009147444.tif 000016
【図１５】
2009147444.tif 000017
【図１６】
2009147444.tif 000018
【図１７】
2009147444.tif 000019